(57)【特許請求の範囲】
【請求項１】
ラッパ筒と直筒とを備え、前記ラッパ筒の大径口によって地下構造物の頂部を離れた状態で覆うとともに前記ラッパ筒の小径口に補助筒を連設し、この補助筒を前記直筒に嵌挿した地下構造物の防護用函体において、前記ラッパ筒の外周囲に粒度調整砕石層を設け、この粒度調整砕石層の上面に前記直筒の外側に配置した状態でコンクリート基盤を設置し、このコンクリート基盤に表蓋用枠体を設置したことを特徴とする  地下構造物の防護用函体。
【請求項２】
請求項１の地下構造物の防護用函体において、前記コンクリート基盤の表面を前記直筒の上端縁に略一致させたことを特徴とする地下構造物の防護用函体。
【発明の詳細な説明】
【０００１】
【発明の属する技術分野】
この発明は地下構造物の防護用函体に関し、例えば、水道管用バルブの防護用函体として覆うときに使用されるものである。
【０００２】
【従来技術】
従来、地下構造物の防護用函体は、合成樹脂によって筒状に一体的に形成され、その下端開口側から、水道管用バルブの頂部を覆っていた。
【０００３】
【発明が解決しようとする課題】
しかしながら、かかる従来の地下構造物の防護用函体は、合成樹脂によって成形されていたため、成形用型の制作にコストがかかり、ひいては、防護用函体の製造費が高額化しやすいという不都合を有した。
【０００４】
この発明の課題はこれらの不都合を解消することである。
【０００５】
【課題を解決するための手段】
この課題を達成するために、この発明に係る地下構造物の防護用函体においては、ラッパ筒と直筒とを備え、前記ラッパ筒の大径口によって地下構造物の頂部を離れた状態で覆うとともに前記ラッパ筒の小径口に補助筒を連設し、この補助筒を前記直筒に嵌挿した地下構造物の防護用函体において、前記ラッパ筒の外周囲に粒度調整砕石層を設け、この粒度調整砕石層の上面に前記直筒の外側に配置した状態でコンクリート基盤を設置し、このコンクリート基盤に表蓋用枠体を設置したため、直筒を用意するにあたって汎用の直筒を適宜長さに切断すればよいものである。
【０００６】
この場合、前記コンクリート基盤の表面を前記直筒の上端縁に略一致させることもできる。
【０００７】
【発明の実施の形態】
図１はこの発明に係る地下構造物の防護用函体の断面図、図２は同第二実施例の部分断面図、図３は同第三実施例の部分断面図である。
【０００８】
図１において、Ｐ，Ｐは水道管であり、土Ｅ中に埋設されている。また、Ｂはこれらの水道管Ｐ，Ｐの間に設置されたバルブであり、頂部を露出させた状態で土Ｅ中に埋設されている。前記バルブＢはこの発明における地下構造物に相当する。
【０００９】
10は防護用函体であり、土Ｅ中に設置されている。この防護用函体10は前記バルブＢの頂部を余裕空間Ｓを介して覆っている。20は防護用函体10のラッパ筒であり、その大径口21を下方にして前記バルブＢの頂部を覆っている。このラッパ筒20は鉄製であるが樹脂製であってもよい。22は環状支持片であり、前記ラッパ筒20における大径口21の外周縁に連設されている。この環状支持片22によって、前記防護用函体10を土Ｅ中に安定良く支えられる。
【００１０】
次に、23は補助筒であり、前記ラッパ筒20の小径口24に一体形成されている。この補助筒23は前記ラッパ筒20と軸心を共通にして上方に延びている。なお、25は係止凸条であり、前記ラッパ筒20における小径口24の内周面に形成されている。この係止凸条25の機能は後記する。
【００１１】
30は樹脂製直筒（本発明の「直筒」に相当する）であり、前記補助筒23の内壁面に水密状態で嵌挿されている。このとき、前記樹脂製直筒30の下端縁は前記係止凸条25に係止され、安定性が確保される。なお、前記樹脂製直筒30の外周囲にＯリング（図示せず）を嵌挿し前記補助筒23との間にこのＯリングを介在させれば、前記補助筒23と前記樹脂製直筒30との連結角度を適宜調節することができる。31は中蓋であり、前記樹脂製直筒30に着脱可能に設置されている。
【００１２】
また、図２に示すように、前記樹脂製直筒30の外側面に周方向に沿って断面Ｖ字状の凸条32,32,…を一体成形すれば、この凸条32,32,…により、前記樹脂性直筒30と前記補助筒23との接触面における水密性を維持することができる。この場合、前記樹脂製直筒30を前記補助筒23に内嵌めした場合であるが、内嵌めする場合には、前記凸条32,32,…を前記樹脂性直筒30の外側面に設置すればよい。なお、前記凸条32,32,…を前記補助筒23の接触面に設けることもできる。
【００１３】
さらに、図３に示すように、前記樹脂製直筒30を前記補助筒23に内嵌めした場合には、前記樹脂製直筒30の外側面と前記補助筒23の内側面にそれぞれ断面鋸歯状の係止凸条（「係止手段」に相当する）33,33,…を周方向に突設すれば、前記樹脂製直筒30を前記補助筒23に内嵌めするのみで、自動的に両者30,23 の係止凸条33,33,…が互いに掛け止めされ両者30,23 を連結固定できる。なお、前記樹脂製直筒30を前記補助筒23に内嵌めした場合には、前記樹脂製直筒30の外側面と前記補助筒23の内側面にそれぞれ係止凸条33,33,…を突設すればよい。
【００１４】
次に、50は粒度調整砕石層であり、前記ラッパ筒20の外周囲に設けられている。また、60はコンクリート基盤であり、前記粒度調整砕石層50の上面に設置されている。このコンクリート基盤60の表面は前記樹脂製直筒30の上端縁に略一致している。61はアンカーボルトであり、前記コンクリート基盤60に設けられている。
【００１５】
70は表蓋用枠体であり、71はその取付フランジである。前記表蓋用枠体70はこの取付フランジ71を介して前記コンクリート基盤60に設置され、前記アンカーボルト61にナットによって固定されている。この表蓋用枠体70には表蓋72が着脱可能に設置されている。なお、これらの表蓋用枠体70および前記コンクリート基盤60は土Ｅ中に埋設されている。
【００１６】
【発明の効果】
この発明に係る地下構造物の防護用函体は、ラッパ筒と直筒とを備え、前記ラッパ筒の大径口によって地下構造物の頂部を離れた状態で覆うとともに前記ラッパ筒の小径口に補助筒を連設し、この補助筒を前記直筒に嵌挿した地下構造物の防護用函体において、前記ラッパ筒の外周囲に粒度調整砕石層を設け、この粒度調整砕石層の上面に前記直筒の外側に配置した状態でコンクリート基盤を設置し、このコンクリート基盤に表蓋用枠体を設置したため、直筒を用意するにあたって汎用の直筒を適宜長さに切断すればよいものである。
【００１７】
よって、この地下構造物の防護用函体を使用すれば、直筒を成形するための成形用型は不用となる結果、従来に比し、防護用函体の製造費は低額化するものである。
【００１８】
この場合、前記コンクリート基盤の表面を前記直筒の上端縁に略一致させることもできる。
【図面の簡単な説明】
【図１】    図１はこの発明に係る地下構造物の防護用函体の断面図である。
【図２】    図２は同第二実施例の部分断面図である。
【図３】    図３は同第三実施例の部分断面図である。
【符号の説明】
10  …  地下構造物の防護用函体
20  …  ラッパ筒
21  …  大径口（ラッパ筒の）
23  …  補助筒
24  …  小径口（ラッパ筒の）
30  …  樹脂製直筒（直筒）
32  …  凸条
33  …  係止凸条（係止手段）
50  …  粒度調整砕石層
60  …  コンクリート基盤
70  …  表蓋用枠体
Ｂ  …  バルブ（地下構造物）
【図１】
0004477223.tif 000002
【図２】
0004477223.tif 000003
【図３】
0004477223.tif 000004